(57)【要約】【課題】部品点数を削減することで組立工数を削減し、コインディスクの交換作業をより容易に行なえるコイン払出装置を提供する。【解決手段】本発明のコイン払出装置１は、円周上に複数のコイン用の開口２６ｄが形成されたコインディスク２６と、このコインディスク２６を駆動する駆動モータ２２とを備え、コインを１枚づつ払出す払出ユニット２０と、この払出ユニット２０上で着脱可能であると共に、払出ユニット２０に対して装着された際、コインディスク２６の円周縁に対向してコインディスク２６の浮き上がりを防止するディスク押さえ１５を備えたバケット１０と、を有することを特徴とする。【選択図】    図３
2005063348.tif 000002
【特許請求の範囲】
【請求項１】
円周上に複数のコイン用の開口が形成されたコインディスクと、このコインディスクを駆動する駆動モータとを備え、コインを１枚づつ払出す払出ユニットと、
この払出ユニット上で着脱可能であると共に、前記払出ユニットに対して装着された際、前記コインディスクの円周縁に対向してコインディスクの浮き上がりを防止するディスク押さえを備えたバケットと、
を有することを特徴とするコイン払出装置。
【発明の詳細な説明】
【技術分野】
【０００１】
本発明は、コイン、メダル等の円盤状の媒体（以下、このような円盤状の媒体を「コイン」と総称する）を多数収容し、これを１枚づつ払出すコイン払出装置に関する。
【背景技術】
【０００２】
上記したコイン払出装置として、例えば、特許文献１に開示されているように、スロットマシンの内部に組み込まれ、遊技における入賞役に応じて、所定枚数のコインを遊技者側に設けられた受皿に払出すものが知られている。通常、このようなコイン払出装置は、円周上に複数のコイン孔が形成された回転板（コインディスク）を有しており、その上方には、多数のコインを収容するバケットが着脱可能に装着されている。前記コインディスクは、駆動モータの回転駆動軸に回り止め嵌合されており、その上からディスク押さえを装着することで、コインディスクが浮き上がることなく安定して回転できるようにしている。そして、コインディスクの上方に装着されるバケット内に多数収容されたコインは、コインディスクが安定して回転駆動されることにより、前記コイン孔から押し出し機構を介して１枚づつ払出し処理が行なわれる。
【０００３】
ところで、上記したコイン払出装置におけるコインディスクは、一般的にモールドで作成されているため、使用しているうちに摩耗する。従って、ある程度使用期間が長くなって摩耗が進んだコインディスクは定期的に交換することで性能を維持している。また、スロットマシン用のコインは、異なる外径（２５φ、３０φ）のものが使用されることがあり、それに応じてコインディスクを交換することで、例えば２５φ用のコイン払出装置を３０φ用に使用することもある。
【０００４】
このようにコインディスクを交換する場合、通常、バケットを本体から取り外し、そして、ディスク押さえを取り外した後、コインディスクを摘んで駆動モータの回転駆動軸から取り外している。そして、新しいコインディスクを回転駆動軸に嵌合させた後、再びディスク押さえをコインディスク上に装着し、その後、バケットを本体に装着している。
【特許文献１】特開平７−８５３３３号
【発明の開示】
【発明が解決しようとする課題】
【０００５】
上記したように、コインディスクを交換するに際しては、特別な工具を用いないことから、交換作業は概ね容易といえるものの、バケットを取り外した後、さらに、ディスク押さえを取り外す必要があるため、作業性の面で改良する余地があると考えられる。また、コインディスクとバケットとの間に、別部材となるディスク押さえを介在させるため、部品点数も多くなってしまう。
【０００６】
この発明は、上記した問題に着目してなされたものであり、部品点数を削減すると共にコインディスクの交換作業をより容易に行なえるコイン払出装置を提供することを目的とする。
【課題を解決するための手段】
【０００７】
上記した目的を達成するために、請求項１に係るコイン払出装置は、円周上に複数のコイン用の開口が形成されたコインディスクと、このコインディスクを駆動する駆動モータとを備え、コインを１枚づつ払出す払出ユニットと、この払出ユニット上で着脱可能であると共に、前記払出ユニットに対して装着された際、前記コインディスクの円周縁に対向してコインディスクの浮き上がりを防止するディスク押さえを備えたバケットと、を有することを特徴とする。
【０００８】
上記した構成のコイン払出装置において、コインディスクを交換する場合、まず、バケットを払出ユニットに対して取り外す。この取り外し動作に伴って、ディスク押さえもバケットと共に一体的に取り外されるため、払出ユニットのコインディスクは露出した状態となる。これにより、従来のようにディスク押さえを取り外す作業がなくなり、コインディスクの交換作業が容易に行なえるようになる。そして、コインディスクを交換した後、払出ユニット上にバケットを装着することにより、払出ユニットのコインディスクは、バケットに設けられたディスク押さえによって覆われ、上方への浮き上がりが規制された状態となる。
【０００９】
なお、上記したコイン払出装置においては、バケットは、コインディスクを保持する払出ユニットとの間で着脱可能に構成されていても良いし、払出ユニットを組み込んでいるベース（払出ユニットとベースは相互に着脱可能に構成されていることが好ましい）との間で着脱可能に構成されていても良い。
【発明の効果】
【００１０】
本発明に係るコイン払出装置によれば、コインディスクの浮き上がりを防止するディスク押さえがバケットに予め設けられていることから、部品点数の削減が図れると共に、従来のようにディスク押さえを取り外す作業がなくなるため、コインディスクの交換作業が容易に行なえるようになる。
【発明を実施するための最良の形態】
【００１１】
以下、本発明に係るコイン払出装置の一実施形態について、図１から図３を参照して説明する。なお、これらの図において、図１は、コイン払出装置の全体構成を示す斜視図、図２は、図１に示すコイン払出装置の分解斜視図、そして、図３は、払出ユニットの構成及び払出ユニットに装着されるバケットの構成を示す分解斜視図である。
【００１２】
コイン払出装置１は、コインを多数蓄積するバケット１０と、バケット１０に蓄積されたコインを１枚づつ払出す払出ユニット２０と、スロットマシン本体やサンド装置等、各種の機器に設置されるベース５０の３つのユニットによって構成されており、本実施形態においては、これらのユニットは、相互に分離可能に構成されている。
【００１３】
前記バケット１０は、実際に払出されるコインを多数収容する凹状の収容部１１と、収容部１１の下方側においてベース５０に対して着脱可能に構成される一対の着脱係合部１２とを備えており、これらは樹脂等により一体成型されている。また、収容部１１の底部には、円形の供給口１３が形成されており、この供給口１３を通してコインが払出ユニット２０に送られる。
【００１４】
また、バケット１０の裏面側には、供給口１３の周囲に、払出ユニット２０に回転可能に設けられるコインディスク２６に対応するように、円形のディスク押さえ１５が設けられている。ディスク押さえ１５は、バケット１０がベース５０に装着された際にコインディスク２６が回転可能となるように、その外周面２６ａを収める程度の内径を有すると共に、その内周面１５ａには、コインディスク２６の上面の円周縁２６ｂと僅かな隙間を介して対向するフランジ１５ｂが形成されている。そして、このようなディスク押さえ１５は、バケット１０に対して別体として取着されたものであっても良いし、バケット１０と共に一体成形されたものであっても良い。
【００１５】
前記払出ユニット２０は、コインを一定姿勢にして１枚づつ払出す機能を備えており、水平面に対して傾斜した状態で設置されるベース部材２１を備えている。このベース部材２１の裏面側には、駆動モータ２２が装着されており、駆動モータ２２は、モータプレート２３及びギヤケース２４を介してベース部材２１に着脱可能に装着されている。
【００１６】
なお、駆動モータ２２の出力軸２２ａは、モータプレート２３の孔２３ａを貫通してギヤケース２４内に設置される減速ギヤ２５と噛合されており、その回転駆動力は、減速された状態でコインディスク２６に伝達されるようになっている。また、ギヤケース内に設置される減速ギヤ２５には、上方に向けて回転駆動軸２５ａが突設されており、この回転駆動軸２５ａは、断面非円形状で、ベース部材２１に形成された孔２１ａを介してその表面から突出している。
【００１７】
前記ベース部材２１の表面には、中心に孔２１ａが位置する円形の凹所２１ｂが形成されており、ここに前記したコインディスク２６が着脱可能に装着される。コインディスク２６の中央部には、前記減速ギヤ２５の回転駆動軸２５ａに対して回り止め嵌合される係合孔２６ｃが形成されると共に、その円周上には、複数（本実施形態では４つ）のコイン用の開口２６ｄが形成されている。また、ベース部材２１の両サイドには、回転するコインディスク２６が干渉する部分に切欠２１ｃを形成しており、ベース部材２１本体を幅方向に可及的に小型化している。
【００１８】
また、ベース部材２１には、コネクタ３０が露出するように設けられており、このコネクタ３０を介して駆動モータ２２に対して電力を供給すると共に、駆動モータの駆動制御等を行なう制御基板（図示せず）が外部機器のメイン制御基板に接続されて、制御信号の送受信が行なわれる。そして、外部機器からコインの払出しの枚数信号が入力されると、駆動モータ２２が駆動され、コインの払出しが実行される。
【００１９】
前記ベース部材２１の凹所２１ｂの外周領域には、コインディスク２６が回転駆動された際、コインを１枚づつ押出す公知の押出し機構３２が設けられており、ここで１枚づつ押出されるコインは、凹所２１ｂから外方に向けて形成される払出経路２１ｄを介して装置外に払出される。すなわち、バケット１０の収容部１１に蓄積されているコインは、供給口１３を通じてコインディスク２６のコイン孔２６ｄ内に位置しており、コインディスク２６が回転駆動されることにより、順次、押出し機構３２を介して１枚づつ、ベース部材２１に形成された払出経路２１ｄを介して払出される。この場合、払出経路２１ｄには、フォトセンサ等のコイン検知手段（図示せず）が配置されており、払出し枚数が前記枚数信号に一致した時点で駆動モータ２２の駆動が停止され、一回のコインの払出し処理が完了する。また、前記払出経路２１ｄの近傍には、使用されるコインの大きさに応じて、払出経路２１ｄの幅を変更するガイド部材３３が着脱可能に装着されている。
【００２０】
上記した払出経路２１ｄ、押し出し機構３２、及びガイド部材３３は、カバー部材３５によって覆われる。このカバー部材３５は、押し出し機構３２及びガイド部材３３等を保護すると共に、払出経路２１ｄの下面との間で、コインの厚さよりも若干広い隙間を形成し、払出経路２１ｄに案内されるコインが安定して払出されるようにしている。なお、カバー部材３５は、ベース部材２１に対して一体的に取着されていたり、着脱可能に構成されていても良く、更には、バケット１０に設けられるディスク押さえ１５と一体化されたものであっても良い。
【００２１】
前記ベース５０には、前記払出ユニット２０を着脱可能に装着すると共に、払出ユニット２０を傾斜して保持する傾斜面５１ａが形成された凹所５１と、前記バケット１０の一対の着脱係合部１２が装着される一対の係合爪５２を備えており、これらは樹脂等により一体成型されている。なお、前記払出ユニット２０は、ベース５０に対して、単に載置された状態で位置決め保持されるものであっても良いし、別途、固定ネジや着脱機構を介して、位置決め保持されるものであっても良い。
【００２２】
上記した構成のコイン払出装置において、コインディスク２６を交換する場合、まず、バケット１０をベース５０から取り外す（払出ユニット２０に対して取り外す）。この取り外し動作に伴って、ディスク押さえ１５もバケット１０と共に一体的に取り外されるため、払出ユニット２０のコインディスク２６は露出した状態となり、そのままコインディスク２６の交換作業が行なえる。そして、コインディスク２６を交換した後、バケット１０をベース５０に係合させて払出ユニット２０上にバケットを装着することで、交換されたコインディスクは、バケットに設けられたディスク押さえ１５によって覆われ、上方への浮き上がりが規制された状態となる。
【００２３】
このように、ディスク押さえ１５をバケット１０に設けておくことで、部品点数の削減が図れると共に、従来のようにディスク押さえを取り外す作業がなくなるため、コインディスク２６の交換作業が容易に行なえるようになる。また、本実施形態では、コイン払出装置を、バケット１０、払出ユニット２０、ベース５０の３つのユニットで構成し、これらを相互に分離できるように構成していることから、最も高価なユニットである払出ユニット２０を共有化することが可能となる。すなわち、スロットマシンやサンド装置のように、異なる外部機器に取り付ける際、その大きさやスペース等を考慮して、一体成型可能である安価なバケット１０やベース５０部分のみを取り換えることで、様々な外部機器に適応させることができ、コイン払出装置のコストを安くすることが可能となる。
【００２４】
以上、本発明の実施形態について説明したが、本発明は、コインディスク２６の上方に設置されるバケット側に、コインディスクの浮き上がりを規制するディスク押さえが設けられていれば良く、それ以外の構成については、上記した実施形態の構成に限定されること無く、適宜変形することが可能である。
【産業上の利用可能性】
【００２５】
本発明は、上記したスロットマシンやサンド装置のように遊技媒体の払出し処理以外にも、硬貨を払出す現金払出装置に応用しても良い。
【図面の簡単な説明】
【００２６】
【図１】本発明に係るコイン払出装置の一実施形態を示す斜視図。
【図２】図１に示すコイン払出装置の分解斜視図。
【図３】払出ユニットの構成及び払出ユニットに装着されるバケットの構成を示す分解斜視図。
【符号の説明】
【００２７】
１  コイン払出装置
１０  バケット
１５  ディスク押さえ
２０  払出ユニット
２１  ベース部材
２２  駆動モータ
２６  コインディスク
２６ａ  外周面
２６ｂ  円周縁
２６ｃ  係合孔
２６ｄ  コイン用の開口
５０  ベース
【図１】
2005063348.tif 000003
【図２】
2005063348.tif 000004
【図３】
2005063348.tif 000005